(57)【要約】医師が起点となって実施される検体検査を管理し得る検体検査計画管理装置、検体検査計画管理システム、検体検査計画管理方法、及びプログラムを提供する。病院の外部において受診者が取得可能な検体検査キットを用いて検体検査を実施する際の検体検査計画を管理する検体検査計画管理装置（１２）であって、医師が作成した検体検査計画を病院のシステムを介して取得する検査計画取得部（３０Ａ）と、検体検査計画に基づいて、検体検査キットの送付先を含む送付情報を出力する送付情報出力部（３２Ａ）と、検体検査キットを回収して検体検査を実施する検査機関のシステムを介して、送付情報に基づいて送付された検体検査キットを用いて採取した検体の検査結果を取得する検査結果取得部（３０Ｂ）と、を備える。
2019188800.tif 000002
【特許請求の範囲】
【請求項１】
病院の外部において受診者が取得可能な検体検査キットを用いて検体検査を実施する際の検体検査計画を管理する検体検査計画管理装置であって、
医師が作成した検体検査計画を病院のシステムを介して取得する検査計画取得部と、
前記検体検査計画に基づいて、検体検査キットの送付先を含む送付情報を出力する送付情報出力部と、
前記検体検査キットを回収して検体検査を実施する検査機関のシステムを介して、前記送付情報に基づいて送付された検体検査キットを用いて採取した検体の検査結果を取得する検査結果取得部と、
を備えた検体検査計画管理装置。
【請求項２】
前記検査結果取得部を用いて取得した検査結果を、前記病院のシステムへ出力する検査結果出力部を備えた請求項１に記載の検体検査計画管理装置。
【請求項３】
前記検査結果出力部は、前記検査結果取得部を用いて取得した検査結果を、前記受診者が使用する受診者端末装置へ出力する請求項２に記載の検体検査計画管理装置。
【請求項４】
前記検査計画取得部は、検体の種類、検体検査の頻度、及び検体検査の回数の少なくともいずれかが含まれる前記検体検査計画を取得する請求項１から３のいずれか一項に記載の検体検査計画管理装置。
【請求項５】
前記検査計画取得部は、人間の血液、人間の便、人間の尿、人間以外の動物の血液、人間以外の動物の便、及び人間以外の動物の尿の少なくともいずれかを検体とし、医師が作成した検体検査計画を取得する請求項１から４のいずれか一項に記載の検体検査計画管理装置。
【請求項６】
前記送付情報出力部は、検体検査キットを提供する検体検査キット提供機関へ前記送付情報を出力する請求項１から５のいずれか一項に記載の検体検査計画管理装置。
【請求項７】
前記送付情報出力部は、前記検査機関へ前記送付情報を出力する請求項１から５のいずれか一項に記載の検体検査計画管理装置。
【請求項８】
前記送付情報出力部は、受診者の自宅、薬局、薬局以外の商店、配送業者の営業所、又は郵便局のいずれかを送付先とする前記送付情報を出力する請求項１から７のいずれか一項に記載の検体検査計画管理装置。
【請求項９】
ネットワークと通信可能に接続されたサーバ装置を備えた検体検査計画管理システムであって、
前記サーバ装置は、
病院の外部において受診者が取得可能な検体検査キットを用いて検体検査を実施する際の検体検査計画を管理する検体検査計画管理装置であって、
医師が作成した検体検査計画を病院のシステムを介して取得する検査計画取得部と、
前記検体検査計画に基づいて、検体検査キットの送付先を含む送付情報を出力する送付情報出力部と、
前記検体検査キットを回収して検体検査を実施する検査機関のシステムを介して、前記送付情報に基づいて送付された検体検査キットを用いて採取した検体の検査結果を取得する検査結果取得部と、
を備えた検体検査計画管理システム。
【請求項１０】
前記ネットワークと通信可能に接続され、前記受診者が使用する受診者端末装置を備え、
前記受診者端末装置は、前記検体検査に適用される検体の種類、検体検査の頻度、及び検体検査の回数の少なくともいずれかを表示する表示部を備えた請求項９に記載の検体検査計画管理システム。
【請求項１１】
前記表示部は、前記検体検査の結果を表示する請求項１０に記載の検体検査計画管理システム。
【請求項１２】
前記ネットワークと通信可能に接続され、検体検査キットを提供する検体検査キット提供機関に具備される提供機関端末装置を備え、
前記送付情報出力部は、前記提供機関端末装置へ前記送付情報を出力する請求項９から１１のいずれか一項に記載の検体検査計画管理システム。
【請求項１３】
前記ネットワークと通信可能に接続され、前記検査機関に具備される検査機関端末装置を備え、
前記送付情報出力部は、前記検査機関端末装置へ前記送付情報を出力する請求項９から１２のいずれか一項に記載の検体検査計画管理システム。
【請求項１４】
病院の外部において受診者が取得可能な検体検査キットを用いて検体検査を実施する際の検体検査計画を管理する検体検査計画管理方法であって、
医師が作成した検体検査計画を病院のシステムを介して取得する検査計画取得工程と、
前記検体検査計画に基づいて、検体検査キットの送付先を含む送付情報を出力する送付情報出力工程と、
前記検体検査キットを回収して検体検査を実施する検査機関のシステムを介して、前記送付情報に基づいて送付された検体検査キットを用いて採取した検体の検査結果を取得する検査結果取得工程と、
を含む検体検査計画管理方法。
【請求項１５】
病院の外部において受診者が取得可能な検体検査キットを用いて検体検査を実施する際の検体検査計画を管理するプログラムであって、
コンピュータに、
医師が作成した検体検査計画を病院のシステムを介して取得する検査計画取得機能、
前記検体検査計画に基づいて、検体検査キットの送付先を含む送付情報を出力する送付情報出力機能、及び
前記検体検査キットを回収して検体検査を実施する検査機関のシステムを介して、前記送付情報に基づいて送付された検体検査キットを用いて採取した検体の検査結果を取得する検査結果取得機能を実現させるプログラム。
【請求項１６】
非一時的かつコンピュータ読取可能な記録媒体であって、前記記録媒体に格納された指令がコンピュータによって読み取られた場合に、
病院の外部において受診者が取得可能な検体検査キットを用いて検体検査を実施する際の検体検査計画を管理する検体検査計画管理機能であって、
医師が作成した検体検査計画を病院のシステムを介して取得する検査計画取得機能、
前記検体検査計画に基づいて、検体検査キットの送付先を含む送付情報を出力する送付情報出力機能、及び
前記検体検査キットを回収して検体検査を実施する検査機関のシステムを介して、前記送付情報に基づいて送付された検体検査キットを用いて採取した検体の検査結果を取得する検査結果取得機能を含む検体検査計画管理機能をコンピュータに実現させる記録媒体。
【発明の詳細な説明】
【技術分野】
【０００１】
本発明は検体検査計画管理装置、検体検査計画管理システム、検体検査計画管理方法、及びプログラムに係り、特に検体検査計画の管理に関する。
【背景技術】
【０００２】
高齢化に伴う医療サービス希望者の増加、少子化に伴う医療従事者の減少、過疎化に伴う医療機関の規模縮小、及び過疎化に伴う医療機関の閉鎖等に起因して、医療サービスを受けることを希望しても、医療サービスを受けることが困難な者が増えている。【０００３】
また、病気予後の経過観察者が定期的に通院検査を実施し、かつ医師から検査結果を聞く際に、医療機関に長時間拘束される場合が増えており、医療サービスの提供が非効率となっている。【０００４】
更に、在宅で医療サービスを受けている通院困難者、及び医療機関から遠隔地に居住している通院困難者などが増えている。通院困難者は、必要な検査の実施が困難となっている。【０００５】
特許文献１は、患者が自身の検体を検査施設へ郵送し、検査施設では検査結果をデータ登録し、患者がインターネットを介してデータ登録された検査結果を取得する遠隔検査方法が記載されている。【０００６】
特許文献２は、血圧計等の在宅生体情報測定機器を用いて、在宅での測定を行い、健康管理を支援する健康管理システムが記載されている。同文献に記載の健康管理システムは、在宅生体情報測定機器を用いて測定した生体情報を登録者が入力し送信すると、生体情報は専門医サイトに送信される。専門医サイトは、登録者からの診断請求に基づく診断結果を登録者へフィードバックする。診断結果は、登録者サイトの表示部、及び携帯電話の表示部を用いて表示される。
【先行技術文献】
【特許文献】
【０００７】
【特許文献１】特開２００２−１５７３３２号公報
【特許文献２】特開２００５−２２４３５４号公報
【発明の概要】
【発明が解決しようとする課題】
【０００８】
しかしながら、特許文献１に記載の発明は、患者が病院、及び検査機関等の医療機関へ出向くことなく検体検査の実施が可能であり、通院検査が困難な患者の検体検査が可能であるものの、医師が介在せずに、患者と検査機関との間で検体の受け渡し、及び検査結果の受け渡しが行われる。すなわち、特許文献１に記載の発明は、医師が検査の起点となっていない。【０００９】
特許文献２に記載の発明は、在宅生体情報測定機器の配送指示が専門医サイトから行われるものの、専門医サイトは登録者からの診断請求に基づいて診断結果をフィードバックしている。すなわち、特許文献２に記載の発明もまた、専門医サイトを構成する専門医が検査の起点となっていない。【００１０】
すなわち、特許文献１に記載の発明、及び特許文献２に記載の発明は、いずれも、患者等の計画に基づき、患者等が起点となって検体検査等が実施されている。そうすると、検体検査等のきっかけに医師が介在せず、患者等の病状に応じた検体検査の実施が困難である。【００１１】
本発明はこのような事情に鑑みてなされたもので、医師が起点となって実施される検体検査を管理し得る検体検査計画管理装置、検体検査計画管理システム、検体検査計画管理方法、及びプログラムを提供することを目的とする。
【課題を解決するための手段】
【００１２】
上記目的を達成するために、次の発明態様を提供する。【００１３】
第１態様に係る検体検査計画管理装置は、病院の外部において受診者が取得可能な検体検査キットを用いて検体検査を実施する際の検体検査計画を管理する検体検査計画管理装置であって、医師が作成した検体検査計画を病院のシステムを介して取得する検査計画取得部と、検体検査計画に基づいて、検体検査キットの送付先を含む送付情報を出力する送付情報出力部と、検体検査キットを回収して検体検査を実施する検査機関のシステムを介して、送付情報に基づいて送付された検体検査キットを用いて採取した検体の検査結果を取得する検査結果取得部と、を備えた検体検査計画管理装置である。【００１４】
第１態様によれば、検体検査キットを用いた検体検査計画を医師が作成し、医師が作成した検体検査計画を検体検査計画管理装置が取得する。これにより、医師が起点となる医師が作成した検体検査計画に基づいて、検体検査キットを用いた検体検査計画の管理が可能となる。【００１５】
また、病院の外部において取得可能な検体検査キットが用いられる。これにより、検査を受ける受診者は病院、及び検査機関へ出向かずに検査の実施が可能となり、受診者、並びに医師、又は検査者の活動効率が向上し得る。【００１６】
医師が作成した検体検査計画は、医療機関システムを介して取得し得る。医療機関システムは、医師が使用可能な病院端末が通信可能に接続されてもよい。【００１７】
検体検査キットは人間の検体を適用可能である。人間の検体は、検体検査キットを用いて受診者が採取可能な検体を適用し得る。検体検査キットは人間以外の動物の検体を適用してもよい。人間以外の動物の検体は、検体検査キットを用いて動物の管理者が採取可能な検体を適用し得る。動物の管理者の例として、飼い主、及び動物園の飼育員等が挙げられる。【００１８】
検体検査キットの取得例として、自宅に配送された検体検査キットを自宅にて取得する例が挙げられる。検体検査キットの他の取得例として、薬局、薬局以外の商店、配送業者の営業所、及び郵便局等において取得する例が挙げられる。【００１９】
検査機関は、検体を採取した検体検査キットを回収し、検体検査を実施する。検査機関は検体検査計画管理部を備えてもよい。【００２０】
検体検査計画のスケジュールを管理するスケジュール部を備えてもよい。送付情報出力部は、スケジュール部を用いた検体検査計画のスケジュール管理に基づいて送付情報を出力してもよい。【００２１】
第１態様に係る検体検査計画管理装置は、１つ以上のプロセッサと、１つ以上のメモリを備えた検体検査計画管理装置であって、１つ以上のプロセッサは、医師が作成した検体検査計画を病院のシステムを介して取得し、検体検査計画に基づいて、検体検査キットの送付先を含む送付情報を出力し、検体検査キットを回収して検体検査を実施する検査機関のシステムを介して、送付情報に基づいて送付された検体検査キットを用いて採取した検体の検査結果を取得し、メモリは、各処理におけるデータを記憶する検体検査計画管理装置として機能し得る。【００２２】
第２態様は、第１態様の検体検査計画管理装置において、検査結果取得部を用いて取得した検査結果を、病院のシステムへ出力する検査結果出力部を備えた構成としてもよい。【００２３】
第２態様によれば、病院のシステムは検査結果を取得し得る。【００２４】
第３態様は、第２態様の検体検査計画管理装置において、検査結果出力部は、検査結果取得部を用いて取得した検査結果を、受診者が使用する受診者端末装置へ出力する構成としてもよい。【００２５】
第３態様によれば、受診者端末装置は検査結果を取得し得る。【００２６】
第４態様は、第１態様から第３態様のいずれか一態様の検体検査計画管理装置において、検査計画取得部は、検体の種類、検体検査の頻度、及び検体検査の回数の少なくともいずれかが含まれる検体検査計画を取得する構成としてもよい。【００２７】
第４態様によれば、検体の種類、検体検査の頻度、及び検体検査の回数の少なくともいずれかが含まれる検体検査計画を管理し得る。【００２８】
検体検査の頻度、及び検体検査の回数に基づいて検査日を特定し得る。【００２９】
第５態様は、第１態様から第４態様のいずれか一態様の検体検査計画管理装置において、検査計画取得部は、人間の血液、人間の便、人間の尿、人間以外の動物の血液、人間以外の動物の便、及び人間以外の動物の尿の少なくともいずれかを検体とし、医師が作成した検体検査計画を取得する構成としてもよい。【００３０】
第５態様によれば、人間以外の動物について、医師が作成し、検体検査キットを用いた検体検査計画の管理が可能である。【００３１】
医師には獣医が含まれる。【００３２】
第６態様は、第１態様から第５態様のいずれか一態様の検体検査計画管理装置において、送付情報出力部は、検体検査キットを提供する検体検査キット提供機関へ送付情報を出力する構成としてもよい。【００３３】
第６態様によれば、検体検査キット提供機関は、検体検査計画に基づいて検体検査キットを送付し得る。【００３４】
検体検査キット提供機関の例として、検査機関、検体検査キットの製造業者、及び検体検査キットの販売業者が挙げられる。【００３５】
第７態様は、第１態様から第５態様のいずれか一態様の検体検査計画管理装置において、送付情報出力部は、検査機関へ送付情報を出力する構成としてもよい。【００３６】
第７態様によれば、検体検査計画に基づき、検査機関から検体検査キットを送付し得る。【００３７】
第８態様は、第１態様から第７態様のいずれか一態様の検体検査計画管理装置において、送付情報出力部は、受診者の自宅、薬局、薬局以外の商店、配送業者の営業所、又は郵便局のいずれかを送付先とする送付情報を出力する構成としてもよい。【００３８】
第８態様によれば、受診者は、受診者の自宅、薬局、商店、配送業者の営業所、又は郵便局において、検体検査キットを取得し得る。【００３９】
薬局以外の商品の例として、コンビニエンスストア、及びスーパーマーケットなど、検体検査キットの受け渡しサービスを提供する店舗が挙げられる。【００４０】
第９態様に係る検体検査計画管理システムは、ネットワークと通信可能に接続されたサーバ装置を備えた検体検査計画管理システムであって、サーバ装置は、病院の外部において受診者が取得可能な検体検査キットを用いて検体検査を実施する際の検体検査計画を管理する検体検査計画管理装置であって、医師が作成した検体検査計画を病院のシステムを介して取得する検査計画取得部と、検体検査計画に基づいて、検体検査キットの送付先を含む送付情報を出力する送付情報出力部と、検体検査キットを回収して検体検査を実施する検査機関のシステムを介して、送付情報に基づいて送付された検体検査キットを用いて採取した検体の検査結果を取得する検査結果取得部と、を備えた検体検査計画管理システムである。【００４１】
第９態様によれば、第１態様と同様の効果を得ることができる。【００４２】
第９態様において、第２態様から第８態様で特定した事項と同様の事項を適宜組み合わせることができる。その場合、検体検査計画管理装置において特定される処理や機能を担う構成要素は、これに対応する処理や機能を担う検体検査計画管理システムの構成要素として把握することができる。【００４３】
第１０態様は、第９態様の検体検査計画管理システムにおいて、ネットワークと通信可能に接続され、受診者が使用する受診者端末装置を備え、受診者端末装置は、検体検査に適用される検体の種類、検体検査の頻度、及び検体検査の回数の少なくともいずれかを表示する表示部を備えた構成としてもよい。【００４４】
第１０態様によれば、受信者は病院、及び検査機関等に出向かずに、受診者端末装置の表示部を用いて表示される画面から検体検査計画の内容を把握し得る。【００４５】
第１１態様は、第１０態様の検体検査計画管理システムにおいて、表示部は、検体検査の結果を表示する構成としてもよい。【００４６】
第１１態様によれば、受診者端末装置の表示部を用いて表示される画面から、検体検査の結果を把握し得る。【００４７】
第１２態様は、第９態様から１１のいずれか一態様において、ネットワークと通信可能に接続され、検体検査キットを提供する検体検査キット提供機関に具備される提供機関端末装置を備え、送付情報出力部は、提供機関端末装置へ送付情報を出力する構成としてもよい。【００４８】
第１２態様によれば、検体検査計画に基づいて、提供機関端末へ検体検査キットの送付情報を出力し得る。これにより、検体検査キット提供機関は検体検査キットの送付が可能となる。【００４９】
第１３態様は、第９態様から第１２態様のいずれか一態様の検体検査計画管理システムにおいて、ネットワークと通信可能に接続され、検査機関に具備される検査機関端末装置を備え、送付情報出力部は、検査機関端末装置へ送付情報を出力する構成としてもよい。【００５０】
第１３態様によれば、検体検査計画に基づいて、検査機関端末へ検体検査キットの送付情報を出力し得る。これにより、検査機関は検体検査キットの送付が可能となる。【００５１】
第１４態様に係る検体検査計画管理方法は、病院の外部において受診者が取得可能な検体検査キットを用いて検体検査を実施する際の検体検査計画を管理する検体検査計画管理方法であって、医師が作成した検体検査計画を病院のシステムを介して取得する検査計画取得工程と、検体検査計画に基づいて、検体検査キットの送付先を含む送付情報を出力する送付情報出力工程と、検体検査キットを回収して検体検査を実施する検査機関のシステムを介して、送付情報に基づいて送付された検体検査キットを用いて採取した検体の検査結果を取得する検査結果取得工程と、を含む検体検査計画管理方法である。【００５２】
第１４態様によれば、第１態様と同様の効果を得ることができる。【００５３】
第１４態様において、第２態様から第８態様、及び第１０態様から第１３態様で特定した事項と同様の事項を適宜組み合わせることができる。その場合、検体検査計画管理装置、及び検体検査計画管理システムにおいて特定される処理や機能を担う構成要素は、これに対応する処理や機能を担う検体検査計画管理方法の構成要素として把握することができる。【００５４】
第１５態様に係るプログラムは、病院の外部において受診者が取得可能な検体検査キットを用いて検体検査を実施する際の検体検査計画を管理するプログラムであって、コンピュータに、医師が作成した検体検査計画を病院のシステムを介して取得する検査計画取得機能、検体検査計画に基づいて、検体検査キットの送付先を含む送付情報を出力する送付情報出力機能、及び検体検査キットを回収して検体検査を実施する検査機関のシステムを介して、送付情報に基づいて送付された検体検査キットを用いて採取した検体の検査結果を取得する検査結果取得機能を実現させるプログラムである。【００５５】
第１５態様によれば、第１態様と同様の効果を得ることができる。【００５６】
第１５態様において、第２態様から第８態様、及び第１０態様から第１３態様で特定した事項と同様の事項を適宜組み合わせることができる。その場合、検体検査計画管理装置、検体検査計画管理システム、及び検体検査計画管理方法において特定される処理や機能を担う構成要素は、これに対応する処理や機能を担うプログラムの構成要素として把握することができる。
【発明の効果】
【００５７】
本発明によれば、検体検査キットを用いた検体検査計画を医師が作成し、医師が作成した検体検査計画を検体検査計画管理装置が取得する。これにより、医師が起点となる医師が作成した検体検査計画に基づいて、検体検査キットを用いた検体検査計画の管理が可能となる。
【図面の簡単な説明】
【００５８】
【図１】図１は検体検査計画管理システムの構成例を示すブロック図である。
【図２】図２はサーバ装置のハードウェアの構成例を示すブロック図である。
【図３】図３はサーバ装置の機能ブロック図である。
【図４】図４は病院管理システムの構成例を示すブロック図である。
【図５】図５は検体検査計画管理方法の手順の流れを示すフローチャートである。
【図６】図６は検体検査計画管理システムの構成要素間の情報の流れ、及び検体検査キットの流れを示すフローチャートである。
【図７】図７はネットワークシステムが適用される検体検査計画管理システムの構成例を示すブロック図である。
【図８】図８は検査計画画面の一例を示す説明図である。
【図９】図９は検査結果画面の一例を示す説明図である。
【図１０】図１０は診断結果画面の一例を示す説明図である。
【図１１】図１１は診断結果画面の他の例を示す説明図である。
【図１２】図１２は来院登録画面の一例を示す説明図である。
【図１３】図１３は来院予約画面の一例を示す説明図である。
【図１４】図１４は検査終了画面の一例を示す説明図である。
【発明を実施するための形態】
【００５９】
以下、添付図面に従って本発明の好ましい実施の形態について詳説する。本明細書では、同一の構成要素には同一の参照符号を付して、重複する説明は適宜省略することとする。
【００６０】
［検体検査計画管理システム］
〔全体構成〕
図１は検体検査計画管理システムの構成例を示すブロック図である。図１に示した検体検査計画管理システム１０は、受診者等の申請に応じて医師が作成した検体検査計画を管理する。検体検査計画は、受診者等の自宅等の病院以外の場所において取得可能であり、かつ受診者の自宅等の病院以外の場所において検体の採取が可能な検体検査キットが適用される。なお、受診者等は、検査を受ける受診者、及び受診者の家族等の検体検査の申請者が含まれる。
【００６１】
図１に示した検体検査計画管理システム１０は、サーバ装置１２、病院管理システム１４、病院端末装置１６、受診者端末装置１８、検査機関端末装置２０、及びデータベース２２を備える。サーバ装置１２、病院管理システム１４、及び受診者端末装置１８は、ネットワーク２４を介して通信可能に接続される。なお、検査機関端末装置２０は、検査機関のシステムの一例である。
【００６２】
サーバ装置１２は、検査機関端末装置２０、及びデータベース２２と通信可能に接続される。サーバ装置１２と、検査機関端末装置２０、及びデータベース２２との接続形態は、有線を用いた接続、又は無線を用いた接続のいずれも可能である。
【００６３】
サーバ装置１２、及びデータベース２２は、検査機関に配置されてもよいし、検査機関と異なる場所に配置されてもよい。また、サーバ装置１２とデータベース２２とは、同一の場所に配置されてもよいし、異なる場所に配置されてもよい。異なる場所には、同一の建物内において区画された異なる領域が含まれてもよい。なお、サーバ装置１２は検体検査計画管理装置の一例に相当する。
【００６４】
サーバ装置１２は、情報取得部３０、情報出力部３２、スケジュール部３４、及び解析部３６を備える。サーバ装置１２は、図示しない記憶部を備える。図示しない記憶部は、サーバ装置１２の外部に備えてもよい。
【００６５】
情報取得部３０は、ネットワーク２４を介して、病院管理システム１４から送信された検体検査計画等の情報、及び検査機関端末装置２０から送信された検体検査結果等の情報を取得する。
【００６６】
情報出力部３２は、ネットワーク２４を介して検査機関端末装置２０へ検体検査キットの送付情報等の情報を送信する。情報出力部３２は、ネットワーク２４を介して、病院管理システム１４へ検体検査結果等の情報を送信する。情報出力部３２は、ネットワーク２４を介して、検体検査結果等の受診者端末装置１８へ情報を送信してもよい。
【００６７】
本明細書では、データ、情報、データを表す信号、及び情報を表す信号は相互の読み替えが可能である。なお、データを表す信号、及び情報を表す信号は単に信号と記載されることがある。
【００６８】
また、データ、情報、及び信号等に関して、取得、受信、及び入力は、相互に読み替えが可能である。また、データ、情報、及び信号等に関して、送信、及び出力は、相互に読み替えが可能である。
【００６９】
スケジュール部３４は、情報取得部３０を介して取得した検体検査計画のスケジュールを監視する。
【００７０】
解析部３６は、検査機関端末装置２０から送信された検体検査の結果を解析する。解析部３６を用いた検体検査結果の解析結果は、データベース２２へ記憶される。解析部３６は、受診者と検体検査結果とを関連付けをして、受診者ごとに検体検査結果の解析結果をデータベース２２へ記憶する。
【００７１】
病院管理システム１４は、病院端末装置１６と通信可能に接続される。病院管理システム１４と、病院端末装置１６との接続形態は、有線を用いた接続、又は無線を用いた接続のいずれも可能である。
【００７２】
病院管理システム１４は病院全体を一元管理する。病院管理システム１４は、診療システム、検査システム、及び会計業務システム等を備えるシステムの集合体である。病院管理システム１４は、ＨＩＳ（Hospital Information System）と呼ばれることがある。
【００７３】
病院管理システム１４は、病院に配置される一つ以上の病院端末装置１６と通信可能に接続される。病院管理システム１４は、病院端末装置１６から送信される情報、病院端末装置１６へ送信する情報を管理する。
【００７４】
病院端末装置１６は、病院管理システム１４、及びネットワーク２４を介して、サーバ装置１２へ検体検査計画等の情報を送信する。病院端末装置１６は、病院管理システム１４、及びネットワーク２４を介して、サーバ装置１２から送信される検体検査結果等の情報を受信する。病院管理システム１４は病院システムの一例に相当する。
【００７５】
病院端末装置１６の一例として、医師が使用する医師端末装置、看護士が使用する看護士端末装置、及び会計担当者が使用する会計端末装置等が挙げられる。病院端末装置１６は、パーソナルコンピュータ等のコンピュータ、及びタブレット型端末装置等を適用可能である。コンピュータの一例として、コンピュータ本体、操作部材、及び表示装置を備えるコンピュータが挙げられる。以下に説明する受診者端末装置１８、及び検査機関端末装置２０も同様である。
【００７６】
受診者端末装置１８は、受診者が使用する端末装置である。受診者端末装置１８は、ネットワーク２４を介して、サーバ装置１２から検体検査計画等の情報を受信する。受診者端末装置１８は、ネットワーク２４を介して、サーバ装置１２へ情報を送信する。受診者端末装置１８は、スマートフォン等の携帯端末装置を適用可能である。
【００７７】
検査機関端末装置２０は、検査機関に配置される一つ以上の端末装置である。検査機関の例として、検査技師が使用する検査技師端末装置が挙げられる。検査機関端末装置２０は、ネットワーク２４を介して、サーバ装置１２から検体検査計画等の情報を受信する。検査機関端末装置２０は、ネットワーク２４を介して、サーバ装置１２へ検査結果等の情報を送信する。
【００７８】
データベース２２は、サーバ装置１２が管理する各種データが記憶される。例えば、データベース２２は、受診者ごとの検体検査結果を記憶する。データベース２２は、受診者ごとの検査履歴、及び受診者ごとの既往歴等の受診者ごとの個人情報を記憶してもよい。
【００７９】
ネットワーク２４は、公衆通信回線網を適用してもよいし、専用回線網を適用してもよい。ネットワーク２４は、標準化された規格を適用してもよいし、専用規格を適用してもよい。
【００８０】
〔サーバ装置のハードウェア構成〕
図２はサーバ装置のハードウェアの構成例を示すブロック図である。サーバ装置１２は、図２に示したハードウェアを用いてプログラムを実行して、上記したサーバ装置１２の各部の機能を実現し得る。
【００８１】
サーバ装置１２は、制御部４０、メモリ４２、ストレージ装置４４、ネットワークコントローラ４６、及び電源装置４８を備える。制御部４０、メモリ４２、ストレージ装置４４、及びネットワークコントローラ４６は、バス４９を介してデータ通信が可能に接続される。
【００８２】
〈制御部〉
制御部４０は、サーバ装置１２の全体制御部、各種演算部、及び記憶制御部として機能する。制御部４０は、メモリ４２に具備されるＲＯＭ（read only memory）に記憶されているプログラムを実行する。
【００８３】
制御部４０は、ネットワークコントローラ４６を介して、外部の記憶装置からプログラムをダウンロードし、ダウンロードしたプログラムを実行する。外部の記憶装置は、ネットワーク２４を介してサーバ装置１２と通信可能に接続されていてもよい。
【００８４】
制御部４０は、メモリ４２に具備されるＲＡＭ（random access memory）を演算領域とし、各種プログラムと協働して、各種処理を実行する。これにより、サーバ装置１２の各種機能が実現される。
【００８５】
制御部４０は、ストレージ装置４４からのデータの読み出し、及びストレージ装置４４へのデータの書き込みを制御する。制御部４０は、ネットワークコントローラ４６を介して、外部の記憶装置から各種データを取得してもよい。制御部４０は、取得した各種データを用いて、演算等の各種処理を実行可能である。
【００８６】
制御部４０は、１つ又は２つ以上のプロセッサ（processor）が含まれてもよい。プロセッサの一例として、ＦＰＧＡ（Field Programmable Gate Array）、及びＰＬＤ（Programmable Logic Device）等が挙げられる。ＦＰＧＡ、及びＰＬＤは、製造後に回路構成の変更を可能とする。
【００８７】
プロセッサの他の例として、ＡＳＩＣ（Application Specific Integrated Circuit）が挙げられる。ＡＳＩＣは、特定の処理を実行させるために専用に設計された回路構成を備える。
【００８８】
制御部４０は、同じ種類の２以上のプロセッサを適用可能である。例えば、制御部４０は２つ以上のＦＰＧＡを用いてもよいし、２つのＰＬＤを用いてもよい。制御部４０は、異なる種類の２つ以上のプロセッサを適用してもよい。例えば、制御部４０は１つ以上のＦＰＧＡと１つ以上のＡＳＩＣとを適用してもよい。
【００８９】
複数の制御部を備える場合、複数の制御部は１つのプロセッサを用いて構成してもよい。複数の制御部を１つのプロセッサで構成する一例として、１つ以上のＣＰＵ（Central Processing Unit）とソフトウェアとの組合せを用いて１つのプロセッサを構成し、このプロセッサが複数の制御部として機能する形態がある。ＣＰＵに代わり、又はＣＰＵと併用して、画像処理に特化したプロセッサであるＧＰＵ（Graphics Processing Unit）を適用してもよい。なお、ここでいうソフトウェアはプログラムと同義である。複数の制御部が１つのプロセッサを用いて構成される代表例として、クライアント装置、及びサーバ装置等のコンピュータが挙げられる。
【００９０】
複数の制御部を１つのプロセッサで構成する他の例として、複数の制御部を含むシステム全体の機能を１つのＩＣチップで実現するプロセッサを使用する形態が挙げられる。複数の制御部を含むシステム全体の機能を１つのＩＣチップで実現するプロセッサの代表例として、ＳｏＣ（System On Chip）が挙げられる。なお、ＩＣは、Integrated Circuitの省略語である。
【００９１】
このように、制御部４０は、ハードウェア的な構造として、各種のプロセッサを１つ以上用いて構成される。
【００９２】
〈メモリ〉
メモリ４２は、図示しないＲＯＭ、及び図示しないＲＡＭを備える。ＲＯＭは、サーバ装置１２において実行される各種プログラムを記憶する。ＲＯＭは、各種プログラムの実行に用いられるパラメータ、及びファイル等を記憶する。ＲＡＭは、データの一時記憶領域、及び制御部４０のワーク領域等として機能する。
【００９３】
〈ストレージ装置〉
ストレージ装置４４は、各種データを非一時的に記憶する。ストレージ装置４４は、サーバ装置１２の外部に外付けされてもよい。ストレージ装置４４に代わり、又はこれと併用して、大容量の半導体メモリ装置を適用してもよい。
【００９４】
〈ネットワークコントローラ〉
ネットワークコントローラ４６は、図１に示した病院管理システム１４、受診者端末装置１８、及び検査機関端末装置２０などの外部装置との間のデータ通信を制御する。データ通信の制御は、データ通信のトラフィックの管理が含まれてもよい。
【００９５】
〈電源装置〉
電源装置４８は、ＵＰＳ(Uninterruptible Power Supply)などの大容量型の電源装置が適用される。電源装置４８は停電等に起因して商用電源が遮断された際に、サーバ装置１２へ電源を供給する。なお、図２に示したサーバ装置１２のハードウェア構成は一例であり、適宜、追加、削除、及び変更が可能である。
【００９６】
〔サーバ装置の機能〕
図３はサーバ装置の機能ブロック図である。図３に示したサーバ装置１２は、情報取得部３０、情報出力部３２、スケジュール部３４、及び解析部３６を備える。以下、各部の詳細を説明する。
【００９７】
〈情報取得部〉
情報取得部３０は、検査計画取得部３０Ａ、及び検査結果取得部３０Ｂを備える。情報取得部３０は、各種情報を取得する各種情報取得部を備えてもよい。各種情報取得部の図示は省略する。
【００９８】
検査計画取得部３０Ａ、及び検査結果取得部３０Ｂは、個別のハードウェアを適用してもよいし、共通のハードウェアを適用してもよい。情報取得部３０のハードウェアの構成例として、信号入力素子、及び信号変換素子等を備える構成が挙げられる。
【００９９】
検査計画取得部３０Ａは、病院管理システム１４から送信された検体検査計画を取得する。検査計画取得部３０Ａは、図示しない規定の記憶部へ検体検査計画を記憶する。検査計画取得部３０Ａは、検体検査計画をスケジュール部３４へ送信する。
【０１００】
検査結果取得部３０Ｂは、検査機関端末装置２０から送信された検体検査結果を取得する。検査結果取得部３０Ｂを用いて取得した検体検査結果は、解析部３６へ送信される。
【０１０１】
〈情報出力部〉
情報出力部３２は、送付情報出力部３２Ａ、及び検査結果出力部３２Ｂを備える。情報出力部３２は、各種情報を出力する各種情報出力部を備えてもよい。各種情報出力部の図示は省略する。
【０１０２】
送付情報出力部３２Ａは、図１に示した検査機関端末装置２０へ検体検査キットの送付情報を送信する。検体検査キットの送付情報は、検体検査キットの種類、検体検査キットの送付先、及び検体検査キットの送付日が含まれる。検体検査キットの送付日は、検体検査キットが送付元から送付される日でもよいし、検体検査キットが送付先へ到着する日でもよい。
【０１０３】
検査結果出力部３２Ｂは、図１に示した病院管理システム１４へ検査結果を送信する。検査結果出力部３２Ｂは、受診者端末装置１８へ検査結果を送信してもよい。
【０１０４】
〈スケジュール部〉
スケジュール部３４は、検査計画取得部３０Ａを用いて取得した検体検査計画を登録し、検体検査計画のスケジュールを管理する。検体検査計画のスケジュールは、検体検査の回数、及び検体検査の頻度が含まれる。スケジュール部３４は、検体検査の回数、及び検体検査の頻度に基づいて、検体検査キットの送付日を決定する。
【０１０５】
スケジュール部３４は、検査機関端末装置２０から検査結果を取得する検査結果取得日、及び病院管理システム１４へ検査結果の送信する検査結果送信日を管理する。スケジュール部３４は、検査結果取得日を過ぎても検査機関端末装置２０から検査結果を取得できない場合に、検査機関端末装置２０へ警告を送信してもよい。
【０１０６】
〈解析部〉
解析部３６は、検査機関端末装置２０から送信された検査結果を解析する。解析部３６は、スケジュール以外の検査条件について、検体検査計画に基づいて検体検査が実施されているか否かを判定する。解析部３６は、検査結果をデータベース２２へ記憶する。
【０１０７】
解析部３６は、スケジュール以外の検査条件について、検体検査計画に基づいて検体検査が実施されていない場合、検査機関端末装置２０へ警告を送信してもよい。なお、図３に示したスケジュール部３４、及び解析部３６は統合してもよい。
【０１０８】
〔病院管理システムの構成例〕
図４は病院管理システムの構成例を示すブロック図である。図４に示した病院管理システム１４のハードウェア構成は、図２に示したサーバ装置１２と同様の構成を適用可能である。ここでは、病院管理システム１４のハードウェア構成の説明は省略する。
【０１０９】
病院管理システム１４は、プロセッサ等のハードウェアを用いてプログラムを実行し、各部の機能を実現し得る。病院管理システム１４は、総合プラットフォーム５０、業務システム６０、及び診療システム７０を備える。
【０１１０】
総合プラットフォーム５０は、業務システム６０、及び診療システム７０を統括制御する。また、総合プラットフォーム５０は、業務システム６０と診療システム７０とを統合させる統合インターフェースとして機能する。
【０１１１】
業務システム６０は、電子カルテシステム６２、及びオーダリングシステム６４等を備える。業務システム６０は、図示しない看護支援システム等を備えてもよい。電子カルテシステム６２は、電子カルテを管理する。オーダリングシステム６４は、医師等が行う検査、及び処方等のオーダーを管理する。
【０１１２】
診療システム７０は、放射線部門システム７２、及び検体検査部門システム７４等を備える。診療システム７０は、図示しない内視鏡部門システム、及び生理検査部門システムなど、診療、又は検査に関する部門のシステムを備えてもよい。
【０１１３】
病院端末装置１６から病院管理システム１４へ送信された検体検査計画は、オーダリングシステム６４を介して病院管理システム１４から出力し得る。
【０１１４】
［検体検査計画管理方法の手順］
〔サーバ装置が実行する検体検査計画管理方法の手順〕
図５は検体検査計画管理方法の手順の流れを示すフローチャートである。図５に示した検体検査計画管理方法の手順は、図１に示したサーバ装置１２においてプログラムを実行して実現し得る。
【０１１５】
検査計画取得工程Ｓ１０では、図４に示した検査計画取得部３０Ａは、図１に示した病院管理システム１４から送信される検体検査計画を取得する。検査計画取得工程Ｓ１０の後に、検査回数判定工程Ｓ１２へ進む。検査計画取得工程Ｓ１０の後に、取得した検査結果を管理対象として登録する登録工程を実行してもよい。登録工程の後に、検査回数判定工程Ｓ１２へ進んでもよい。
【０１１６】
検査回数判定工程Ｓ１２では、スケジュール部３４は、検査回数が、検体検査計画で定められた規定回数以下であるか否かを判定する。検査回数判定工程Ｓ１２において、規定回数の検体検査が実施され、検査回数が規定回数を超える場合はＮｏ判定となる。Ｎｏ判定の場合は、サーバ装置１２は検体検査計画管理方法を終了する。
【０１１７】
一方、検査回数判定工程Ｓ１２において、検査回数が規定回数以下の場合はＹｅｓ判定となる。Ｙｅｓ判定の場合は、検査キット送付時期判定工程Ｓ１４へ進む。検査キット送付時期判定工程Ｓ１４では、スケジュール部３４は、検査キット送付時期であるか否かを判定する。検査キット送付時期判定工程Ｓ１４において、スケジュール部３４が検査キット送付時期でないと判定した場合は、Ｎｏ判定となる。Ｎｏ判定の場合は、検査キット送付時期判定工程Ｓ１４においてＹｅｓ判定となるまで、検査キット送付時期判定工程Ｓ１４が実行される。
【０１１８】
一方、検査キット送付時期判定工程Ｓ１４において、スケジュール部３４が検査キット送付時期であると判定した場合は、Ｙｅｓ判定となる。Ｙｅｓ判定の場合は、送付情報送信工程Ｓ１６へ進む。
【０１１９】
送付情報送信工程Ｓ１６では、スケジュール部３４は、送付情報出力部３２Ａを介して検査機関端末装置２０へ検体検査キットの送付情報を送信する。送付情報送信工程Ｓ１６の後に、検査結果取得工程Ｓ１８へ進む。送付情報送信工程Ｓ１６は、送付情報出力工程の一例に相当する。
【０１２０】
検査結果取得工程Ｓ１８では、検査結果取得部３０Ｂは、検査機関端末装置２０から検査結果を取得したか否かを判定する。検査結果取得工程Ｓ１８において、スケジュール部３４が検査結果を取得していない場合はＮｏ判定となる。
【０１２１】
Ｎｏ判定の場合は、検査結果取得部３０Ｂが検査機関端末装置２０から検査結果を取得し、検査結果取得工程Ｓ１８においてＹｅｓ判定となるまで、検査結果取得工程Ｓ１８が実行される。一方、検査結果取得工程Ｓ１８において検査結果取得部３０Ｂが検査結果を取得した場合はＹｅｓ判定となる。Ｙｅｓ判定の場合は、検査結果記憶工程Ｓ２０へ進む。
【０１２２】
検査結果記憶工程Ｓ２０では、解析部３６は、検査機関端末装置２０から送信された検査結果をデータベース２２へ記憶する。検査結果記憶工程Ｓ２０の後に、検査結果送信工程Ｓ２２へ進む。
【０１２３】
検査結果送信工程Ｓ２２では、検査結果出力部３２Ｂは、病院管理システム１４へ検査結果を送信する。検査結果送信工程Ｓ２２において、検査結果出力部３２Ｂは、受診者端末装置１８へ検査結果を送信してもよい。
【０１２４】
検査結果送信工程Ｓ２２の後に、検査回数判定工程Ｓ１２へ進む。以下、規定回数の検体検査が終了し、検査回数判定工程Ｓ１２においてＮｏ判定となるまで、検査回数判定工程Ｓ１２から検査結果送信工程Ｓ２２までの各工程が繰り返し実行される。
【０１２５】
〔検体検査管理システムにおける信号の流れ、及び検体検査キットの流れ〕
図６は検体検査計画管理システムの構成要素間の情報の流れ、及び検体検査キットの流れを示すフローチャートである。まず、受診工程Ｓ１００において、受診者が病院において医師の診察を受ける。受診の際に医師が電子カルテへ入力した受診者情報は、受診者情報取得工程Ｓ１０２において、病院管理システム１４の図示しないデータベースへ登録される。
【０１２６】
図示しないデータベースは、電子カルテに入力された受診者情報が、受診者ごとに記憶される。データベースに受診者情報が存在する場合、新たに電子カルテに入力された受診者情報が追加される。
【０１２７】
検査計画作成工程Ｓ１０４では、医師は、受診者の検体検査計画を作成する。受診者が検体検査のための定期的な受診が困難な場合に、医師は、検体検査キットを用いた検体検査計画を作成する。定期的な受診が困難な場合は、受診者が病院から遠隔地に居住している場合、受診者が高齢の場合、及び受診者が障害を持つ場合等が挙げられる。
【０１２８】
検査計画取得工程Ｓ１０６では、サーバ装置１２は、病院管理システム１４から送信された検体検査計画を取得する。検査計画取得工程Ｓ１０８では、受診者端末装置１８は病院管理システム１４から送信された検体検査計画を取得する。図６に示した検査計画取得工程Ｓ１０６は、図５に示した検査計画取得工程Ｓ１０に相当する。
【０１２９】
送付情報送信工程Ｓ１１０では、サーバ装置１２は、検査機関端末装置２０へ検体検査キットの送付情報を送信する。図６に示した送付情報送信工程Ｓ１１０は、図５に示した送付情報送信工程Ｓ１６に相当する。
【０１３０】
送付情報受信工程Ｓ１１２では、検査機関端末装置２０は、サーバ装置１２から送信された送付情報を受信する。キット送付工程Ｓ１１４では、検査機関端末装置２０は、送付情報に指定された送付日に、送付情報に指定された種類の検体検査キットを、送付情報に指定された送付先へ送付する。なお、キット送付工程Ｓ１１４は、検査機関の依頼を受けた検体検査キットの送付機関、及び検査機関の依頼を受けた検体検査キットの製造機関が実施する場合などの検査機関の外部機関が実施してもよい。検査機関は、検体検査キット提供機関の一例に相当する。検体検査キットの製造機関などの検査機関の外部機関は、検体検査キット提供機関の他の一例に相当する。検査機関端末装置２０は提供機関端末装置の一例に相当する。
【０１３１】
キット取得工程Ｓ１１６では、受診者は検査機関から送付された検体検査キットを取得する。検体検査キットの取得は、検体検査キットの受け取りと同義である。検体検査キットの取得は、申請者の自宅、薬局、薬局以外の商店、配送業者の営業所、又は郵便局などを用いて実施可能である。
【０１３２】
検体検査キットを取得した受診者は、検体検査キットを用いて検体の採取を実施する。検体の採取は、検体検査キットに付属する取扱説明書に基づいて実施される。ここでは、検体の採取の説明は省略する。
【０１３３】
検体送付工程Ｓ１１８では、受診者は採取した検体を検査機関へ送付する。検体の送付は、検体検査キットに付属する取扱説明書に基づいて実施される。ここでは、検体の送付の説明は省略する。
【０１３４】
検体回収工程Ｓ１２０では、検査機関は受診者から送付された検体を回収する。検体の回収は、検体の取得と同義である。本明細書では、検体の回収と、検体の取得とは、相互に読み替えが可能である。
【０１３５】
検体検査工程Ｓ１２２では、検査機関は検体検査を実施し、検体検査結果を作成する。検体検査は、取得した検体から導出可能な全てに検体検査項目について検体検査項目値を導出してもよいし、取得した検体から導出可能な検体検査項目の一部について検体検査項目値を導出してもよい。
【０１３６】
結果送信工程Ｓ１２４では、検査機関端末装置２０は、サーバ装置１２へ検体検査結果を送信する。
【０１３７】
検査結果受信工程Ｓ１２６では、サーバ装置１２は、検査機関端末装置２０から送信された検体検査結果を受信する。検査結果受信工程Ｓ１２６は、図５に示した検査結果取得工程Ｓ１８に相当する。
【０１３８】
検査結果送信工程Ｓ１２８では、サーバ装置１２は、病院管理システム１４へ検体検査結果を送信する。検査結果送信工程Ｓ１２８において、サーバ装置１２は、受診者端末装置１８へ検体検査結果を送信してもよい。検査結果送信工程Ｓ１２８は、図５に示した検査結果送信工程Ｓ２２に相当する。
【０１３９】
サーバ装置１２から受診者端末装置１８へ検体検査結果が送信される場合、検査結果受信工程Ｓ１３０が実行される。検査結果受信工程Ｓ１３０では、受診者端末装置１８はサーバ装置１２から送信された検体検査結果を受信する。受診者端末装置１８は、表示部を用いて検体検査結果を表示し得る。
【０１４０】
検査結果受信工程Ｓ１３２では、病院管理システム１４はサーバ装置１２から送信された検体検査結果を受信する。医師は、検体検査結果に基づいて診断結果を作成する。診断結果は、医師が使用する病院端末装置１６から病院管理システム１４へ登録される。診断結果は検体検査結果が含まれていてもよい。
【０１４１】
診断結果送信工程Ｓ１３４では、病院管理システム１４は診断結果を受診者端末装置１８へ送信する。診断結果受信工程Ｓ１３６では、受診者端末装置１８は、病院管理システム１４から送信された診断結果を受信する。受診者端末装置１８は、表示部を用いて診断結果を表示し得る。
【０１４２】
継続確認情報送信工程Ｓ１３８では、受診者端末装置１８は、検体検査を継続するか否かを表す継続確認情報を病院管理システム１４へ送信する。すなわち、診断結果を見た受診者は、継続確認情報を病院管理システム１４へ送信する。
【０１４３】
継続確認情報受診工程Ｓ１４０では、病院管理システム１４は、受診者端末装置１８から送信された継続確認情報を受信する。継続確認工程Ｓ１４２では、病院管理システム１４は検体検査を継続をするか、又は検体検査の中止を表すかを判定する。
【０１４４】
例えば、診断結果を見た受診者が来院を登録した場合、受診者は受診者端末装置１８を用いて病院管理システム１４へ来院登録情報を含む継続確認情報を送信可能である。
【０１４５】
一方、検体検査を継続する場合、受診者は、受診者端末装置１８を用いて病院管理システム１４へ検体検査の継続を表す継続確認情報を送信可能である。
【０１４６】
継続確認工程Ｓ１４２において、検体検査を中止する場合はＮｏ判定となる、Ｎｏ判定の場合は来院確認工程Ｓ１４４へ進む。一方、継続確認工程Ｓ１４２において、継続確認情報が検体検査の継続を表す場合はＹｅｓ判定となる、Ｙｅｓ判定の場合は検体検査計画に基づいて検体検査が継続される。
【０１４７】
来院確認工程Ｓ１４４では、病院管理システム１４は受診者から送信された来院登録情報を受信したか否かを判定する。来院確認工程Ｓ１４４において、来院登録情報を受信してない場合はＮｏ判定となる。Ｎｏ判定の場合、病院管理システム１４は、一定期間、来院登録情報の受信を待機する。病院管理システム１４は、一定期間、来院登録情報を受信しない場合、サーバ装置１２へ検体検査計画管理方法を終了することを表す管理終了情報を送信する。管理終了情報を受信したサーバ装置１２は、検体検査計画管理方法を終了する。
【０１４８】
一方、来院確認工程Ｓ１４４において、受診者から送信された来院登録情報を受信した場合はＹｅｓ判定となる。Ｙｅｓ判定の場合、病院管理システム１４は、受診者端末装置１８から送信された来院登録情報に基づいて受診者の来院予約を確定する。来院予約情報送信工程Ｓ１４６において病院管理システム１４は、受診者端末装置１８へ来院予約が確定したことを表す来院予約情報を送信する。
【０１４９】
来院予約情報受信工程Ｓ１４８では、受診者端末装置１８が病院管理システム１４から送信された来院予約情報を受信した場合に、受診者端末装置１８は表示部を用いて来院予約情報を表示する。
【０１５０】
サーバ装置１２は、検体検査回数が規定回数に達したと判定されるまで、キット送付工程Ｓ１１４から来院予約情報受信工程Ｓ１４８までの各工程が繰り返し実行される。
【０１５１】
医師が検体検査計画を変更する変更情報を作成し、変更情報が病院管理システム１４に登録された場合、病院管理システム１４からサーバ装置１２へ検体検査計画の変更内容を表す変更情報を送信してもよい。
【０１５２】
病院管理システム１４から送信された変更情報をサーバ装置１２が受信した場合、サーバ装置１２は変更情報に基づいて検体検査計画を変更し得る。サーバ装置１２は、変更後の検体検査計画を受診者端末装置１８へ送信し得る。
【０１５３】
［検体検査計画管理装置、システム、及び方法の作用効果］
上記の如く構成された検体検査計画管理装置、検体検査計画管理システム、及び検体検査計画管理方法によれば、以下の作用効果を得ることが可能である。
【０１５４】
〔１〕
検体検査キットを用いた検体検査計画を医師が作成し、医師が作成した検体検査計画をサーバ装置１２が取得する。これにより、医師が作成した検体検査計画に基づく検体検査計画の管理が可能となる。
【０１５５】
〔２〕
検査機関等から送付される検体検査キットを用いて、受診者が検体を採取する。受診者は採取した検体を検査機関へ送付する。これにより、受診者が病院、及び検査機関等へ出向かずに検体検査を実施し得る。
【０１５６】
〔３〕
検体検査計画は、検体の種類、検体検査の頻度、及び検体検査の回数の少なくともいずれかが規定される。これにより、検体の種類、検体検査の頻度、及び検体検査の回数の少なくともいずれかに基づき検体検査計画が管理される。
【０１５７】
〔４〕
検体検査キットの送付情報は、検査機関へ送付される。これにより、検査機関は、検体検査計画に基づき検体検査キットを送付し得る。検査機関に代わり、検体検査キットの提供機関が、検体検査キットの送付情報を受信し、検体検査キットを送付してもよい。
【０１５８】
〔５〕
サーバ装置１２は、検査機関から送信された検査結果を病院管理システム１４へ送信する。これにより、医師は検査結果に基づく診断結果を作成し得る。
【０１５９】
〔６〕
診断結果は受診者端末装置１８へ送信される。これにより、受診者は医師が検査結果に基づいて作成した診断結果を取得し得る。
【０１６０】
［ネットワークシステムへの適用例］
図７はネットワークシステムが適用される検体検査計画管理システムの構成例を示すブロック図である。図７に示した検体検査計画管理システム１０Ａは、ネットワーク２４を介してサーバ装置１２、検査機関端末装置２０、及びデータベース２２が通信可能に接続される点が、図１に示した検体検査計画管理システム１０と相違している。
【０１６１】
なお、検体検査計画管理システム１０Ａの構成要素は、図１に示した検体検査計画管理システム１０の構成要素と同様である。ここでは、検体検査計画管理システム１０Ａの構成要素ごとの説明は省略する。
【０１６２】
すなわち、検体検査計画管理システム１０Ａは、検体検査計画管理システム１０Ａの構成要素である、サーバ装置１２、病院管理システム１４、受診者端末装置１８、及び検査機関端末装置２０がネットワーク２４を介して通信可能に接続される。また、サーバ装置１２と、データベース２２とは、ネットワーク２４を介して通信可能に接続される。
【０１６３】
これにより、サーバ装置１２は検査機関と異なる場所に配置し得る。また、データベース２２はサーバ装置１２と異なる場所に配置し得る。例えば、検査機関が日本に所在し、サーバ装置１２が外国等に配置されてもよい。外国等は、日本国以外の国、又は地域を表す。
【０１６４】
［受診者端末装置の画面表示］
次に、受診者端末装置１８に具備される表示部に表示される画面表示について説明する。なお、以下に説明する画面表示は、表示部の種類、及び表示部の画面サイズ等の表示部の性能に応じて、表示内容、及び文字サイズ等表示形式が自動的に変更されてもよい。
【０１６５】
〔検査計画画面の構成例〕
図８は検査計画画面の一例を示す説明図である。図８に示した検査計画画面１００は、サーバ装置１２から送信された検体検査計画に基づいて生成される。検査計画画面１００は、図１に示した受診者端末装置１８に具備される表示部を用いて表示し得る。検査計画画面１００は、図６に示した検査計画取得工程Ｓ１０８の後に、受診者端末装置１８に具備される表示部に表示される。
【０１６６】
検査計画画面１００は、申請者情報１０２、検体種類情報１０４、検査回数情報１０６、検査頻度情報１０８、検査開始日情報１１０、検査キット送付先情報１１２、検査結果送付要否情報１１４、及びオーケーボタン１１６が表示される。
【０１６７】
図８に示した申請者情報１０２は、申請者の氏名、申請者の性別、申請者の生年月日、及び申請者の年齢が含まれる。申請者情報１０２は、申請者の特定に使用し得る他の情報が含まれていてもよい。
【０１６８】
検体種類情報１０４は、検体の種類が表示される。検体の種類の例として、血液、尿、便、唾液、粘膜、及び毛髪等が挙げられる。検体は、人間以外の動物の検体を適用してもよい。
【０１６９】
検査回数情報１０６、検査頻度情報１０８、検査開始日情報１１０、検査キット送付先情報１１２、及び検査結果送付要否情報１１４は、検査計画に基づいて表示される。検査計画画面１００は、図８に示した検査回数情報１０６等の以外の検査条件を表示してもよい。
【０１７０】
オーケーボタン１１６は、受診者が検査計画画面１００を閉じる際に操作されるボタンである。オーケーボタン１１６がクリックされた場合に、検査計画画面１００が閉じられる。
【０１７１】
なお、図８に示したアルファベットは、任意の文字、数字、及びアルファベットを表す。また、図８に示した各情報は検体検査計画に基づく情報が表示される。図９から図１４についても同様である。
【０１７２】
〔検査結果画面の構成例〕
図９は検査結果画面の一例を示す説明図である。図９に示した検査結果画面１２０は、検査機関端末装置２０から送信される検体検査結果に基づいて生成される。検査結果画面１２０は、図６に示した検査結果受信工程Ｓ１３０の後に、受診者端末装置１８に具備される表示部を用いて表示し得る。
【０１７３】
図９に示した検査結果画面１２０は、申請者情報１０２、検査日情報１２２、検査キット情報１２４、及び検査結果一覧１２６が含まれる。
【０１７４】
検査日情報１２２は、受診者が検体を採取した検体採取日でもよいし、検査機関が検体を解析した検体解析日でもよい。検査結果画面１２０は検体採取日、及び検体解析日の少なくともいずれかを表示してもよい。
【０１７５】
検査キット情報１２４は、受診者に送付された検体キットを特定する情報である。図９に示した検査キット情報１２４は、検体検査キットのシリアル番号である。検査キット情報１２４は、検体検査キットの管理番号、及び検体検査キットの生産ロット番号等を適用してもよい。
【０１７６】
検査結果一覧１２６は、検体検査項目ごとの項目値が表示される。図９に示した検査結果一覧１２６は、一覧表形式である。検査結果一覧１２６の形式は限定されない。例えば、グラフ形式等を適用してもよい。検査結果一覧１２６は、全ての検体検査項目を表示してもよいし、一部の検体検査項目を表示してもよい。
【０１７７】
図９の検査結果一覧１２６には血液検査項目として、血糖、ＨｂＡ１ｃ、ＨＤＬコレステロール、ＬＤＬコレステロール、中性脂肪、ＡＳＴ、ＡＬＴ、γ−ＧＰＴ、ＡＬＰ、ＡＬＢ、及びＥ−ＧＦＲを例示した。
【０１７８】
ＨｂＡ１ｃはグリコヘモグロビンを表す。ＨＤＬは高比重リポタンパクを表すhigh density lipoproteinの省略語である。ＬＤＬは低比重リポタンパクを表すlow density lipoproteinの省略語である。
【０１７９】
ＡＳＴはアスパラギン酸アミノトランスフェラーゼを表す。ＡＬＴはアラニンアミノトランスフェラーゼを表す。γ−ＧＰＴはガンマグルタミルトランスペプチダーゼを表す。ＡＬＢはアルブミンを表す。ＡＬＰはアルカリホスファターゼを表す。ｅ−ＧＦＲは推算糸球体濾過量を表す。
【０１８０】
検体が尿の場合の検査項目の例として、尿タンパク、尿潜血、及びウロビリノーゲン等が挙げられる。検体が便の場合の検査項目の例として、便潜血、ピロリ菌、カルプロテクチン、赤痢菌、サルモネラ、及び腸管出血性大腸菌が挙げられる。サルモネラは、パラチフスＡ菌、及びチフス菌の少なくともいずれかを含み得る。腸管出血性大腸菌は、Ｏ１５７、Ｏ１１１、及びＯ２６の少なくともいずれかを含み得る。
【０１８１】
〔診断結果画面の構成例〕
図１０は診断結果画面の一例を示す説明図である。図１１は診断結果画面の他の例を示す説明図である。図１０に示した診断結果画面１４０、及び図１１に示した診断結果画面１４０Ａは、病院管理システム１４から送信される診断結果に基づいて生成される。診断結果画面１４０、及び診断結果画面１４０Ａは、図６に示した診断結果受信工程Ｓ１３６の後に、受診者端末装置１８に具備される表示部を用いて表示し得る。
【０１８２】
図１０に示した診断結果画面１４０は、申請者情報１０２、検査日情報１２２、検査キット情報１２４、診断結果情報１４２、次回検査情報１４４、及び確認ボタン１４６が含まれる。診断結果情報１４２は、診断結果を表す文字情報が適用される。
【０１８３】
また、診断結果情報１４２は、検査継続の判断情報が含まれる。図１０に示した検査継続の判断情報は、経過観察のために検査を継続すること、及び来院が不要であることを表す文字情報が適用される。診断結果情報１４２は、診断に用いた検査項目値、及び診断理由等を併記してもよい。
【０１８４】
次回検査情報１４４は、次回の検査日を表す文字情報が適用される。受診者が確認ボタン１４６を操作した際に、診断結果の内容に基づく検査の継続に受診者が同意することを表す継続確認情報が、受診者端末装置１８から病院管理システム１４へ送信される。継続確認情報の送信は、図６に示した継続確認情報送信工程Ｓ１３８に相当する。
【０１８５】
図１１に示した診断結果画面１４０Ａは、受診者に来院を要求する場合に、受診者端末装置１８に具備される表示部を用いて表示される。診断結果画面１４０Ａは申請者情報１０２、診断結果情報１４２Ａ、及び来院登録ボタン１４６Ａが含まれる。
【０１８６】
診断結果情報１４２Ａは、診断結果を表す文字情報、及び検査継続の判断情報が含まれる。図１１に示した検査継続の判断情報は、受診者に来院を促すことを表す文字情報が適用される。診断結果情報１４２Ａは、来院が必要と判断した理由を併記してもよい。
【０１８７】
来院登録ボタン１４６Ａは、受診者が来院登録を行う際に受診者が操作する。来院登録ボタン１４６Ａがクリックされた際に、受診者が来院登録を行う来院登録画面に切り替わる。
【０１８８】
〔来院登録画面の構成例〕
図１２は来院登録画面の一例を示す説明図である。図１２に示した来院登録画面１６０は、病院管理システム１４から受診者端末装置１８へ送信される来院確認情報に基づいて、受診者端末装置１８に具備される表示部を用いて表示し得る。
【０１８９】
来院登録画面１６０は、申請者情報１０２、検査日情報１２２、検査キット情報１２４、来院希望日入力欄１６４、及びオーケーボタン１６６が表示される。
【０１９０】
来院希望日入力欄１６４は、受診者が来院希望を入力する入力欄である。来院希望日入力欄１６４は文字入力を適用可能である。来院希望日入力欄１６４は、クリックされた際にカレンダーを表示させて、カレンダーの日付を選択する形式を適用してもよい。来院希望日入力欄１６４は来院希望時刻を入力可能に構成してもよい。
【０１９１】
オーケーボタン１６６は、受診者が来院登録情報を確定する際に操作されるボタンである。オーケーボタン１６６がクリックされた場合に、来院登録情報が確定する。オーケーボタン１６６がクリックされた際に、受診者端末装置１８から病院管理システム１４へ来院登録情報が送信される。
【０１９２】
〔来院予約画面の構成例〕
図１３は来院予約画面の一例を示す説明図である。図１３に示した来院予約画面１８０は、図１２に示した来院登録画面１６０において来院登録情報が入力され、来院予約が確定した場合に、受診者端末装置１８に具備される表示部を用いて表示し得る。
【０１９３】
来院予約画面１８０は、申請者情報１０２、検査日情報１２２、検査キット情報１２４、来院予約情報１８２、オーケーボタン１８４が含まれる。来院予約情報１８２は、病院管理システム１４において登録される来院予約の日時を表す文字情報である。
【０１９４】
オーケーボタン１８４は、受診者が来院予約画面１８０を閉じる際に操作されるボタンである。オーケーボタン１８４がクリックされた場合に、来院予約画面１８０は閉じられる。オーケーボタン１８４がクリックされた際に、予約を承認することを表す情報が受診者端末装置１８から病院管理システム１４へ送信されてもよい。
【０１９５】
〔検査終了画面の構成例〕
図１４は検査終了画面の一例を示す説明図である。図１４に示した検査終了画面２００は、図６に示した来院確認工程Ｓ１４４においてＮｏ判定となった場合に、受診者端末装置１８に具備される表示部を用いて表示し得る。来院確認工程Ｓ１４４では、以後の検査を必要としないと医師が判断した場合にＮｏ判定となる。
【０１９６】
検査終了画面２００は、申請者情報１０２、検査日情報１２２、検査キット情報１２４、検体検査終了情報２０２、オーケーボタン２０４が含まれる。検体検査終了情報２０２は、検体検査計画を終了することを表す文字情報である。
【０１９７】
オーケーボタン２０４は、受診者が検査終了画面２００を閉じる際に操作されるボタンである。オーケーボタン２０４がクリックされた場合に、検査終了画面２００は閉じられる。
【０１９８】
［受診者端末装置の画面表示の作用効果］
上記の如く構成された受診者端末装置の画面表示によれば、以下の作用効果を得ることが可能である。
【０１９９】
〔１〕
図８に示した検査計画画面１００によれば、受診者は病院等に出向かずに、受診者の自宅等において受診者端末装置１８の表示部に表示される検査計画画面１００から、医師が作成し、サーバ装置１２を用いて管理される検体検査計画の内容を把握し得る。
【０２００】
〔２〕
図９に示した検査結果画面１２０によれば、受診者は病院、及び検査機関等に出向かずに、受診者の自宅等において受診者端末装置１８の表示部に表示される検査結果画面１２０から、検体検査結果を把握し得る。
【０２０１】
〔３〕
図１０に示した診断結果画面１４０、及び図１１に示した診断結果画面１４０Ａによれば、受診者は病院、及び検査機関等に出向かずに、受診者の自宅等において受診者端末装置１８の表示部に表示される検査結果画面１２０から、医師が作成した診断結果を把握し得る。また、図１１に示した診断結果画面１４０Ａによれば、受診者は医師の来院要求を把握し得る。
【０２０２】
〔４〕
図１２に示した来院登録画面１６０によれば、受診者が次回の検体検査実施前に、医師から来院を指示された場合に、受診者端末装置１８を用いて来院希望日を入力し得る。受診者端末装置１８は受診者の来院希望日を表す情報を病院管理システム１４へ送信し得る。また、病院管理システム１４は、受診者の来院希望日を表す情報を受診し、来院予約を確定し得る。
【０２０３】
〔５〕
図１３に示した来院予約画面１８０によれば、受診者は来院予約の内容を把握し得る。
【０２０４】
〔６〕
図１４に示した検査終了画面２００によれば、受診者は検体検査計画を終了することを表す情報を受診者端末装置１８から病院管理システム１４へ送信し得る。
【０２０５】
［検体検査キットの具体例］
血液検査キットの具体例としては、例えば、特許第３５９７８２７号明細書に記載の生体試料分離器具、又は特許第３６４３０１１号明細書に記載の検体分析用具等が挙げられる。血液検査キットには、更に、血液採取時に使用するランセット、絆創膏、及び消毒布等の処置具等、及び取扱説明書等を含めることが可能である。
【０２０６】
［血液検査キットを用いた採血の作用効果］
以上説明した血液検査キットを用いた採血によれば、以下の作用効果を得ることが可能である。
【０２０７】
〔１〕
自宅等の医療機関以外で採血を実施可能である。
【０２０８】
〔２〕
血液検査キットが検体検査計画に規定された検査日に送付されるので、採血の忘れ、及び採血日の間違い等を抑制し得る。
【０２０９】
〔３〕
採血量が０．１ミリリットル以下と微小量である。
【０２１０】
［人間以外の動物への検体検査計画管理の適用例］
〔課題の説明〕
ペットを飼うペットの飼い主は年々増加している。飼い主はペットを家族の一員として考え、ペットの健康管理に人間と同様の気遣いをする飼い主が増加している。例えば、ペットの様子が通常と異なりペットの異常が懸念される場合に、飼い主がすぐにペットを動物病院へ連れて行き、ペットに獣医の診察を受けることが当たり前となってきている。
【０２１１】
しかしながら、飼い主がペットの異常に気が付かないことがあり、ペットの病状が悪化したとしても、ペットは病状が悪化したままになり得る。すなわち、飼い主は、人間と同様にペットの健康管理に注意を払っているものの、獣医が作成した検査計画を管理するシステムは整備されていない。
【０２１２】
〔人間以外の動物を対象とする検体検査管理システム等の構成例〕
図１から図１４を用いて説明した検体検査計画管理システム１０、及び検体検査計画管理システム１０Ａは、医師を獣医に読み替え、病院を動物病院に読み替え、受診者を飼い主に読み替えることで、人間以外の動物に適用し得る。なお、獣医は医師の一例に相当する。
【０２１３】
人間以外の動物は、動物園において飼育される動物、牧場等の畜産業者が飼育する鶏、豚、牛、及び馬等の動物、並びに競走馬等が含まれてもよい。飼い主は、飼育員、畜産管理者など、動物の健康を管理する者が含まれてもよい。
【０２１４】
人間以外の動物の例として、犬、猫、豚、馬、牛、牛、ハムスター、モルモット、ウサギ、リス、及びフェレット等の哺乳類、鳥類、並びに蛇、及びとかげ等の爬虫類等が挙げられる。人間以外の動物の検体の例として、血液、尿、便、唾液、粘膜、及び体毛等が挙げられる。検体が尿の場合の検体検査項目の例として、尿ペーハー、尿タンパク、尿潜血、尿比重、尿糖、アセスミン、アルデヒド、ケトン体、及びクレアチニン等が挙げられる。
【０２１５】
本実施形態では、検体検査計画管理システムについて説明したが、先に説明した人間を対象とする検体検査計画管理システムと同様に、検体検査計画管理装置、検体検査計画管理方法、及びプログラムを構成し得る。
【０２１６】
［人間以外の動物を対象とする検体検査管理システムの作用効果］
上記の如く構成された検体検査管理システムによれば、以下の作用効果を得ることが可能である。
【０２１７】
〔１〕
人間を対象とする検体検査計画管理システム等と同様に、獣医が作成した検体検査計画を管理し得る。これにより、ペット等を動物病院へ連れて行かずにペット等の定期的な検体検査を実施し得る。
【０２１８】
〔２〕
飼い主等がペット等の異常に気が付かない場合でも、ペット等の病状が悪化し、病状が悪化したままにされることを抑制し得る。
【０２１９】
〔３〕
飼い主等は、飼い主端末装置の表示部に表示される画面を見て、検体検査計画の内容、獣医の診断結果等を把握し得る。
【０２２０】
本実施形態に示した人間以外の動物への適用例は、ペット等の定期健康診断に適用可能である。例えば、何らかの病気で獣医の診察を受け、受診の際の投薬、及び処置等を受けた場合に適用可能である。また、加齢に起因して発症し易い病気を予め抑える薬、及びサプリメント等を継続して服用し、六カ月間、又は一年間など、定期的な経過観察が必要と獣医が判断した場合に適用可能である。
【０２２１】
［コンピュータを検体検査計画管理装置として機能させるプログラムへの適用例］
上述した検体検査計画管理装置、及び方法は、コンピュータを用いて、検体検査計画管理装置における各部に対応する機能、及び検体検査計画管理方法における各工程に対応する機能を実現させるプログラムを実行させて実現し得る。例えば、コンピュータに、検体検査計画取得機能、送付情報出力機能、及び検査結果取得機能を実現させる検体検査計画管理プログラムを構成し得る。
【０２２２】
上述した検体検査計画管理能をコンピュータに実現させるプログラムを、有体物である非一時的な情報記憶媒体である、コンピュータが読取可能な情報記憶媒体に記憶し、情報記憶媒体を通じてプログラムを提供することが可能である。
【０２２３】
また、非一時的な情報記憶媒体にプログラムを記憶して提供する態様に代えて、ネットワークを介してプログラム信号を提供する態様も可能である。
【０２２４】
［実施形態及び変形例等の組み合わせについて］
上述した実施形態で説明した構成要素、及び適用例等で説明した構成要素は、適宜組み合わせて用いることができ、また、一部の構成要素を置き換えることもできる。
【０２２５】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有する者により、多くの変形が可能である。
【符号の説明】
【０２２６】
１０  検体検査計画管理システム
１０Ａ  検体検査計画管理システム
１２  サーバ装置
１４  病院管理システム
１６  病院端末装置
１８  受診者端末装置
２０  検査機関端末装置
２２  データベース
２４  ネットワーク
３０  情報取得部
３０Ａ  検査計画取得部
３０Ｂ  検査結果取得部
３２  情報出力部
３２Ａ  送付情報出力部
３２Ｂ  検査結果出力部
３４  スケジュール部
３６  解析部
４０  制御部
４２  メモリ
４４  ストレージ装置
４６  ネットワークコントローラ
４８  電源装置
４９  バス
５０  総合プラットフォーム
６０  業務システム
６２  電子カルテシステム
６４  オーダリングシステム
７０  診療システム
７２  放射線部門システム
７４  検体検査部門システム
１００  検査計画画面
１０２  申請者情報
１０４  検体種類情報
１０６  検査回数情報
１０８  検査頻度情報
１１０  検査開始日情報
１１２  検査キット送付先情報
１１４  検査結果送付要否情報
１１６  オーケーボタン
１２０  検査結果画面
１２２  検査日情報
１２４  検査キット情報
１２６  検査結果一覧
１４０  診断結果画面
１４０Ａ  診断結果画面
１４２  診断結果情報
１４２Ａ  診断結果情報
１４４  次回検査情報
１４６  検査継続確認ボタン
１４６Ａ  来院登録ボタン
１６０  来院登録画面
１６４  来院希望日入力欄
１６６  オーケーボタン
１８０  来院予約画面
１８２  来院予約情報
１８４  オーケーボタン
２００  検査終了画面
２０２  検体検査終了情報
２０４  オーケーボタン
Ｓ１０からＳ１４８  検体検査管理方法の各工程
【図１】
2019188800.tif 000003
【図２】
2019188800.tif 000004
【図３】
2019188800.tif 000005
【図４】
2019188800.tif 000006
【図５】
2019188800.tif 000007
【図６】
2019188800.tif 000008
【図７】
2019188800.tif 000009
【図８】
2019188800.tif 000010
【図９】
2019188800.tif 000011
【図１０】
2019188800.tif 000012
【図１１】
2019188800.tif 000013
【図１２】
2019188800.tif 000014
【図１３】
2019188800.tif 000015
【図１４】
2019188800.tif 000016
【手続補正書】
【提出日】令和2年10月30日(2020.10.30)
【手続補正１】
【補正対象書類名】明細書
【補正対象項目名】００３９
【補正方法】変更
【補正の内容】
【００３９】
薬局以外の商店の例として、コンビニエンスストア、及びスーパーマーケットなど、検体検査キットの受け渡しサービスを提供する店舗が挙げられる。
【手続補正２】
【補正対象書類名】明細書
【補正対象項目名】００４７
【補正方法】変更
【補正の内容】
【００４７】
第１２態様は、第９態様から１１のいずれか一態様の検体検査計画管理システムにおいて、ネットワークと通信可能に接続され、検体検査キットを提供する検体検査キット提供機関に具備される提供機関端末装置を備え、送付情報出力部は、提供機関端末装置へ送付情報を出力する構成としてもよい。
【手続補正３】
【補正対象書類名】明細書
【補正対象項目名】００６０
【補正方法】変更
【補正の内容】
【００６０】
［検体検査計画管理システム］
〔全体構成〕
図１は検体検査計画管理システムの構成例を示すブロック図である。図１に示した検体検査計画管理システム１０は、受診者等の申請に応じて医師が作成した検体検査計画を管理する。検体検査計画は、受診者等の自宅等の病院以外の場所において取得可能であり、かつ受診者等の自宅等の病院以外の場所において検体の採取が可能な検体検査キットが適用される。なお、受診者等は、検査を受ける受診者、及び受診者の家族等の検体検査の申請者が含まれる。
【手続補正４】
【補正対象書類名】明細書
【補正対象項目名】００６６
【補正方法】変更
【補正の内容】
【００６６】
情報出力部３２は、ネットワーク２４を介して検査機関端末装置２０へ検体検査キットの送付情報等の情報を送信する。情報出力部３２は、ネットワーク２４を介して、病院管理システム１４へ検体検査結果等の情報を送信する。情報出力部３２は、ネットワーク２４を介して、検体検査結果等の情報を受診者端末装置１８へ送信してもよい。
【手続補正５】
【補正対象書類名】明細書
【補正対象項目名】０１０５
【補正方法】変更
【補正の内容】
【０１０５】
スケジュール部３４は、検査機関端末装置２０から検査結果を取得する検査結果取得日、及び病院管理システム１４へ検査結果を送信する検査結果送信日を管理する。スケジュール部３４は、検査結果取得日を過ぎても検査機関端末装置２０から検査結果を取得できない場合に、検査機関端末装置２０へ警告を送信してもよい。
【手続補正６】
【補正対象書類名】明細書
【補正対象項目名】０１２５
【補正方法】変更
【補正の内容】
【０１２５】
〔検体検査管理システムにおける情報の流れ、及び検体検査キットの流れ〕
図６は検体検査計画管理システムの構成要素間の情報の流れ、及び検体検査キットの流れを示すフローチャートである。まず、受診工程Ｓ１００において、受診者が病院において医師の診察を受ける。受診の際に医師が電子カルテへ入力した受診者情報は、受診者情報取得工程Ｓ１０２において、病院管理システム１４の図示しないデータベースへ登録される。
【手続補正７】
【補正対象書類名】明細書
【補正対象項目名】０１４３
【補正方法】変更
【補正の内容】
【０１４３】
継続確認情報受信工程Ｓ１４０では、病院管理システム１４は、受診者端末装置１８から送信された継続確認情報を受信する。継続確認工程Ｓ１４２では、病院管理システム１４は検体検査を継続するか、又は検体検査の中止を表すかを判定する。
【手続補正８】
【補正対象書類名】明細書
【補正対象項目名】０１４６
【補正方法】変更
【補正の内容】
【０１４６】
継続確認工程Ｓ１４２において、検体検査を中止する場合はＮｏ判定となる。Ｎｏ判定の場合は来院確認工程Ｓ１４４へ進む。一方、継続確認工程Ｓ１４２において、継続確認情報が検体検査の継続を表す場合はＹｅｓ判定となる。Ｙｅｓ判定の場合は検体検査計画に基づいて検体検査が継続される。
【手続補正９】
【補正対象書類名】明細書
【補正対象項目名】０２０２
【補正方法】変更
【補正の内容】
【０２０２】
〔４〕
図１２に示した来院登録画面１６０によれば、受診者が次回の検体検査実施前に、医師から来院を指示された場合に、受診者端末装置１８を用いて来院希望日を入力し得る。受診者端末装置１８は受診者の来院希望日を表す情報を病院管理システム１４へ送信し得る。また、病院管理システム１４は、受診者の来院希望日を表す情報を受信し、来院予約を確定し得る。
【手続補正１０】
【補正対象書類名】明細書
【補正対象項目名】０２１４
【補正方法】変更
【補正の内容】
【０２１４】
人間以外の動物の例として、犬、猫、豚、馬、牛、ハムスター、モルモット、ウサギ、リス、及びフェレット等の哺乳類、鳥類、並びに蛇、及びとかげ等の爬虫類等が挙げられる。人間以外の動物の検体の例として、血液、尿、便、唾液、粘膜、及び体毛等が挙げられる。検体が尿の場合の検体検査項目の例として、尿ペーハー、尿タンパク、尿潜血、尿比重、尿糖、アセスミン、アルデヒド、ケトン体、及びクレアチニン等が挙げられる。
【手続補正１１】
【補正対象書類名】明細書
【補正対象項目名】０２２２
【補正方法】変更
【補正の内容】
【０２２２】
上述した検体検査計画管理機能をコンピュータに実現させるプログラムを、有体物である非一時的な情報記憶媒体である、コンピュータが読取可能な情報記憶媒体に記憶し、情報記憶媒体を通じてプログラムを提供することが可能である。
【手続補正１２】
【補正対象書類名】明細書
【補正対象項目名】０２２５
【補正方法】変更
【補正の内容】
【０２２５】
以上説明した本発明の実施形態は、本発明の趣旨を逸脱しない範囲で、適宜構成要素を変更、追加、削除することが可能である。本発明は以上説明した実施形態に限定されるものではなく、本発明の技術的思想内で当該分野の通常の知識を有する者により、多くの変形が可能である。
【手続補正１３】
【補正対象書類名】図面
【補正対象項目名】図４
【補正方法】変更
【補正の内容】
【図４】
2019188800.tif 000017
【手続補正１４】
【補正対象書類名】図面
【補正対象項目名】図６
【補正方法】変更
【補正の内容】
【図６】
2019188800.tif 000018
【国際調査報告】
2019188800.tif 000019
2019188800.tif 000020